(57)【要約】【課題】  深いカップホルダを形成しても、サイドパネルの高さがあまり高くならず、また、深いカップホルダとしても大小カップ、小物類等を取り出し易いサイドパネルを供えた農用トラクタを提供する。【解決手段】  運転席に着座したオペレータの肘掛けを兼ねたサイドパネル１６には、作業機の昇降を制御する昇降制御レバー１７と、各種設定スイッチを格納したスイッチボックスが形成されている。サイドパネル１６の昇降制御レバー１７よりも前方の低い位置の傾斜面１６ａに凹部２０を形成して、ペットボトル等を保持させる。【選択図】      図２
2006335254.tif 000002
【特許請求の範囲】
【請求項１】
運転席の側方のフェンダー部にサイドパネルを設け、該サイドパネルに作業機昇降用又は走行変速用等の操作手段を配設した、農用トラクタにおいて、
前記サイドパネルは、前記操作手段の機体前方側が前下がりの傾斜面からなり、該傾斜面に、ドリンク用ボトル等を収納し得る凹部を形成してなる、
ことを特徴とする農用トラクタ。
【請求項２】
前記サイドパネルは、合成樹脂の一体成形品からなり、かつ前記凹部は、底面を有する円筒形状からなる、
請求項１記載の農用トラクタ。
【発明の詳細な説明】
【技術分野】
【０００１】
本発明は、農用トラクタ、詳しくは運転中にオペレータが操作する操作部を設けたサイドパネルの構造に関する。
【背景技術】
【０００２】
一般的な小型の農用トラクタは、大型の後輪をカバーする左右のフェンダー部で左右から挟み込むように運転席を配置しており、後輪車軸の前方上方の運転席に着座したオペレータを想定して、各種操作レバーや設定スイッチ類を配置したサイドパネルをフェンダー部上に取り付けている。
【０００３】
特許文献１には、各種操作レバーや設定スイッチ類を配置したサイドパネルを後輪のフェンダー部に取り付けた農用トラクタが示される。この農用トラクタは、後輪の外形に合わせて設計されたフェンダー部の傾斜部分に昇降制御レバー（ポジションレバー）を配置し、昇降制御レバーの後方に各種設定スイッチを格納した開閉式のスイッチボックスを配置している。
【０００４】
また、昇降制御レバーの根元部分には半円筒形に盛り上がったレバーガイドが形成され、レバーガイドの頂上とスイッチボックスとを連絡してリブ状のアームレスト（肘掛）部を形成している。そして、リブ状のアームレスト部とレバーガイドとスイッチボックスとで囲まれた内側向きの凹所に、昇降制御レバーと合わせて操作される耕深設定ダイヤルを配置している。
【０００５】
特許文献２には、変速機の操作レバーを配置したサイドパネルを後輪のフェンダー部に取り付けた農用トラクタが示される。この農用トラクタは、操作レバーに隣接させてカップホルダを設けている。
【０００６】
【特許文献１】特開平３−２５３４７９号公報
【特許文献２】特開２００３−２７６４９４号公報
【発明の開示】
【発明が解決しようとする課題】
【０００７】
近年、農用トラクタの操作環境を改善すべく、運転席の居住性、快適性を高める種々の工夫がなされている。そして、戸外作業を長時間、快適に継続するためにはこまめな水分補給が欠かせないので、特許文献２に示されるように、カップホルダ（ペットボトルホルダを含む）を運転席の周囲の手が届く範囲に設置することが提案されている。
【０００８】
しかし、特許文献１の農用トラクタでは、運転席のアームレスト部にカップホルダが形成されているので、カップホルダに挿入したペットボトル等が後方を振り向く動作の邪魔となる可能性がある。また、ドリンクカップ等を保持させている場合、乗車、着席、降車の際に体をぶつけたり、走行中の車体振動によって、中身のドリンクを運転席のシート面や付近の操作レバー、各種スイッチに撒き散らす可能性がある。
【０００９】
また、大きな車体振動を想定してペットボトルの安定性を増すべく深いカップホルダを形成すると、カップホルダの底が下方へ突出する分、サイドパネルの高さが高くなって運転席の高さに釣り合わなくなる。また、深いカップホルダでは、浅い紙コップ等は全体が落ち込んで取り出せなくなるし、キーや小銭やネジ等を入れた場合、その取り出しに特殊な工具が必要となる。
【００１０】
本発明は、深いカップホルダを形成しても、サイドパネルの高さがあまり高くならず、深いカップホルダとしてもカップ、ボトル、小物類を取り出し易い農用トラクタを提供することを目的としている。
【課題を解決するための手段】
【００１１】
請求項１の農用トラクタは、運転席（１２）の側方のフェンダー部（１３）にサイドパネル（１６）を設け、該サイドパネル（１６）に作業機昇降用又は走行変速用等の操作手段（１７）を配設した、農用トラクタ（１）において、前記サイドパネル（１６）は、前記操作手段（１７）の機体前方側が前下がりの傾斜面（１６ａ）からなり、該傾斜面（１６ａ）に、ドリンク用ボトル等（２１）を収納し得る凹部（２０）を形成してなる、ものである。
【００１２】
請求項２の農用トラクタは、請求項１の農用トラクタにおいて、前記サイドパネル（１６）は、合成樹脂の一体成形品からなり、かつ前記凹部（２０）は、底面を有する円筒形状からなる、ものである。
【００１３】
なお、上記カッコ内の符号は、図面と対照するためのものであるが、これにより特許請求の範囲に何等影響を及ぼすものではない。
【発明の効果】
【００１４】
請求項１に係る本発明によると、ドリンク用ホルダーを構成する凹部を、サイドパネルの前方傾斜面に形成したので、凹部に収められるボトルは、その前方側を大きく露出して上記凹部の上方に突出するので、ボトルの取り出し及び凹部への収納を、運転中の自然の状態で、かつ目視による確認を行うことなく容易に行うことができ、またボトルが凹部に収納されている状態であっても、該ボトルがオペレータによる操作手段による作業機昇降等の操作、及びハンドル操作の邪魔になることはなく、取り扱い性のよいボトルホルダーを提供することができる。
【００１５】
請求項２に係る本発明によると、前記凹部は、一体成形品からなるサイドパネルに容易に形成されるとともに、底面を有する円筒形状からなり、かつ前下がり傾斜面に形成されているので、前方部分は底面の深さが浅く、作業機装着時等に必要となる鋲螺類の小物部品又は携帯電話等を入れることができるとともに容易に取り出すことができ、かつ各種収納物の取り扱い性も向上する。
【発明を実施するための最良の形態】
【００１６】
以下、図面に沿って本発明の好ましい実施の形態について説明する。本実施形態の走行機１０は、用途に応じた作業機を連結して、耕起、整地、畝切等の農作業を行う作業自動車であるが、本発明の農用トラクタは、その特徴あるサイドパネルを装着することにより、乗用型田植え機、乗用型草刈り機、コンバイン等で実施してもよい。
【００１７】
＜走行機体＞
図１は本発明の農用トラクタの一実施形態である走行機体の側面図である。
【００１８】
図１に示すように、本実施形態の走行機体１０は、連結装置６に各種の作業機（不図示）を連結して、種々の農作業を行うことができる。走行機体１０は、左右一対の前輪２と左右一対の後輪３とを備え、後輪３を駆動するエンジン等をボンネット１に格納している。左右一対の後輪３は、後輪３の外形に合わせて湾曲させた左右一対のフェンダー部１３によってそれぞれ覆われ、左右一対のフェンダー部１３で挟み込むように運転席１２が、後輪３の車軸の前方上方に配置されている。
【００１９】
左右のフェンダー部１３の上部には、搭乗、降機の際の手がかりとなる昇降用グリップ５が取り付けられ、進行方向右側の昇降用グリップ５の内側にサイドパネル１６が取り付けられている。運転席１２に着座したオペレータ１１は、ステアリングホイール４、アクセルペダル、変速レバー等を操作して走行機体１０の走行状態を制御しつつ、昇降制御レバー１７を操作して作業機（不図示）の昇降を制御できる。
【００２０】
サイドパネル１６は、進行方向右側のフェンダー部１３に取り付けられており、進行方向左側のフェンダー部１３には、運転席１２の左側の肘掛けを兼ねて、不図示の操作レバー、設定スイッチ類を配置した別のサイドパネル（不図示）が配置されている。
【００２１】
＜サイドパネル＞
図２は運転席に着座したオペレータがサイドパネルを操作する状態の説明図、図３はサイドパネルを運転席側から見た斜視図、図４はサイドパネルを上方から見た平面図、図５はサイドパネルを前方から見た正面図、図６はサイドパネルを後方から見た背面図、図７はサイドパネルを外側から見た側面図、図８はサイドパネルを運転席側から見た側面図である。
【００２２】
図２に示すように、進行方向右側のサイドパネル１６は、フェンダー部１３の頂上とほぼ同じ高さに昇降制御レバー（ポジションレバー）１７を配置し、昇降制御レバー１７の後方に各種設定スイッチを格納した開閉式のスイッチボックス１９を配置している。スイッチボックス１９には、走行機体１０（図１）の運転や操作に必要な設定や動作制御に使用されるが使用頻度はそれほど高くないその他のスイッチ類が配置されている。
【００２３】
サイドパネル１６は、昇降制御レバー１７の回動機構、昇降制御レバー１７のポジション検知スイッチ、スイッチボックス１９内の各種スイッチ等を組み付けて配線を済ませたアセンブリユニットとして準備されている。
【００２４】
サイドパネル１６の前方側の傾斜面１６ａには、ドリンクカップ２１を挿入して保持可能な凹部２０が形成されており、凹部２０には、ドリンクカップ２１以外のペットボトル、小物類等も収納可能である。
【００２５】
図３に示すように、サイドパネル１６の運転席側は、取り付け部１６ｍ、１６ｎで、フェンダー部１３（図１）の起立面にネジを用いて固定される。サイドパネル１６における昇降制御レバー１７の根元部分には、半円筒形に盛り上がったレバーガイド１５が形成され、レバーガイド１５の頂上とスイッチボックス１９とをほぼ同じ高さで連絡してリブ状のアームレスト部１８を形成している。
【００２６】
また、リブ状のアームレスト部１８とレバーガイド１５とスイッチボックス１９とで囲まれた内側向きの凹所２４に、昇降制御レバー１７と合わせて操作される耕深設定ダイヤル２３を配置している。スイッチボックス１９と凹所２４との間には隔壁部１６ｂを設けて、凹所２４に溜まった土や水分がスイッチボックス１９へ浸入しないようにしている。凹所２４を囲む起立した壁面１６ｅ、１６ｆは、耕深設定ダイヤル２３を操作する際に手の甲や指の背面に当接して安定させ、揺れの大きな走行中でも耕深設定ダイヤル２３を確実に操作させる。
【００２７】
サイドパネル１６の運転席側には、運転席１２の外側へオペレータ１１の運動余地を確保する傾斜部１６ｃが形成されているので、オペレータ１１が後方を振り向く運動を妨げない。
【００２８】
昇降制御レバー１７は、回動可能に支持されたアーム１７ａの先端側に、握り操作が容易な幅広のヘッド１７ｂを取り付けている。ヘッド１７ｂの根元側は幅を狭くして、アームレスト部１８やレバーガイド１５との間に十分な間隔を確保しているので、昇降制御レバー１７がどの回動位置にあっても昇降制御レバー１７から手指を容易に退避できる。
【００２９】
図４に示すように、サイドパネル１６の外側は、取り付け部１６ｉ、１６ｊ、１６ｋで、フェンダー部１３（図１）に対してネジを用いて固定される。スイッチボックス１９は、ヒンジ１９ｂを中心にしてカバー１９ａを外側へ開くことにより、内部の設定スイッチ（不図示）を運転席側から容易に操作できる。
【００３０】
また、レバーガイド１５のガイド溝１５ａは、前方側から後方側へ向かって運転席側へ傾けて形成され、昇降制御レバー１７のロッド１７ａは、ガイド溝１５ａに沿って移動するように、前方側へ傾斜させた回動軸（不図示）で軸支されている。
【００３１】
図５に示すように、昇降制御レバー１７は、前方へ倒した状態では外側に位置し、オペレータ１１（図１）が手前に引くと運転席側に近づく。凹部２０は、昇降制御レバー１７を前方側の最も低い位置へ回動させた高さよりもさらに低い位置に形成されている。
【００３２】
図６に示すように、サイドパネル１６は、ＡＢＳ樹脂を用いた射出一体成形で形成されており、凹部２０（図３）の外側面２０ｈは、型抜きテーパに必要な傾きを確保したほぼ円筒状の外観で形成されている。また、レバーガイド１５（図３）の凹所１５ｈには、昇降制御レバー１７の図示しない回動機構等が組み立てられている。
【００３３】
図７に示すように、凹部２０は、フェンダー部１３（図１）の傾斜に沿って前方へ向かって低く傾いた傾斜面１６ａに形成されているので、後方側が深く、前方側が浅くなっている。従って、小型の１００ミリリットル・ドリンクカップでも、前方側から容易に出し入れできるとともに、不安定な５００ミリリットル・ドリンクカップでも、側面を挟み込んで安定して保持できる。また、前方側からは大人の手指が凹部２０の底全体に届くので、凹部２０にネジ、ライター、鍵等の小物類を保管した際に、ピンセット等の道具を使わないでも、前方側から手を入れて容易に掻き出せる。
【００３４】
また、凹部２０の底の高さ位置を低く設計して、凹部２０に５００ｍｍペットボトルを保持させた際に、ペットボトルの先端が昇降制御レバー１７を操作する手の干渉範囲に入らないようにしている。凹部２０の底には段付きの大きなアールを形成して、凹部２０の底に沿った小物類の掻き出しや清掃を容易にしている。
【００３５】
図８に示すように、レバーガイド１５とスイッチボックス１９との間に位置する耕深設定ダイヤル２３は、アームレスト部１８と隔壁部１６ｂとで保護されているので、運転席１２へ着座、離席する際のオペレータ１１（図１）のお尻、運転走行中のオペレータ１１（図１）の肘や手が当たりにくい。
【００３６】
＜昇降制御レバー等の操作＞
図１に示すように、昇降制御レバー１７は、連結装置６に接続した不図示の作業機のポジションの上げ下げを操作するもので、前方側へ倒した状態が下げ方向、後方側へ引き起こした状態が上げ方向となっている。耕深設定ダイヤル２３は、耕うん作業時の耕深を設定するもので、目盛りに合わせてダイヤルを所望の深さ位置に設定することにより、昇降制御レバー１７を操作して作業機を着地させた際の耕地面への切り込み深さを調整できる。
【００３７】
スイッチボックス１９に格納されるスイッチ等としては、昇降制御レバー１７を操作して作業機を上昇させた際の上げ位置調整ダイヤル、作業機の傾きを自動調整する際の傾き角度を設定する傾き調整ダイヤル、作業機の水平制御の自動、手動の切り替えスイッチ、作業機の種類の切り替えスイッチ、作業モードの設定スイッチ、各種手動操作レバー等である。
【００３８】
＜本実施形態の効果＞
本実施形態の走行機体１０では、ドリンク用ホルダーとして利用可能な凹部２０を、サイドパネル１６の傾斜面１６ａに形成したので、凹部２０に収められるボトルは、その前方側を大きく露出して凹部２０の上方に突出するので、ボトルの取り出し及び凹部２０への収納を、運転中の自然の状態で、かつ目視による確認を行うことなく容易に行うことができ、またボトルが凹部２０に収納されている状態であっても、ボトルがオペレータ１１による昇降制御レバー１７による作業機昇降等の操作、及びステアリング４の操作の邪魔になることはない。従って、取り扱い性のよいボトルホルダーを提供できる。
【００３９】
また、凹部２０は、一体成形品からなるサイドパネル１６に容易に形成されるとともに、底面を有する円筒形状からなり、かつ前下がりの傾斜面１６ａに形成されているので、前方部分は底面の深さが浅く、作業機装着時等に必要となる鋲螺類の小物部品又は携帯電話等を入れることができるとともに容易に取り出すことができ、かつ各種収納物の取り扱い性も向上する。
【００４０】
また、凹部２０を傾斜面１６ａに配置したので、平坦面に配置する場合に比較して、サイドパネル１６の下面への突き出し少なく深い凹部２０を形成できる。従って、多種類のボトルやカップを許容できる直径の凹部２０でも、その深さによって背の高いドリンクカップや細いボトルを安定して、上方への突き出し少なく保持できる。
【００４１】
また、本実施形態の走行機体１０のような比較的小型の農用トラクタでは、左右のフェンダー部１３の間隔が狭いため、肘掛付きの運転席を搭載することが困難であったが、肘掛けを兼ねたサイドパネル１６を採用したので、オペレータ１１の姿勢が安定し、運転中、作業中に車体が大きく揺れたり傾いた際にも、安定した運転や操作を継続することができる。従って、隣接耕耘作業時の前輪タイヤ走行位置により既耕地と未耕地とを確認する際、オペレータ１１に無理な姿勢を強いることなく、走行機体１０の運転、操作ができる。
【００４２】
また、昇降用グリップ５を肘掛として使用する場合に比較して、図２に示すように、肘の当たる部分がスイッチボックス１９、隔壁部１６ｂと幅広くなっているので、圧迫感が小さく、長時間肘掛け姿勢を維持しても苦痛が無く、内外へ肘を振った際に肘をぶつけることもない。一方、アームレスト部１８は、手で握ることができるほど狭いので、オペレータ１１が大きく後ろを振り向いて作業を行う際には、アームレスト部１８を掴んで振り向いた姿勢を維持することが可能である。従って、オペレータ１１が振り向いて作業状態を確認する際にも、オペレータが体重を支えることができ、安定した作業姿勢を得ることができる。
【００４３】
また、凹部２０をオペレータ１１の着座姿勢の膝よりかなり低い高さ位置に設けて、比較的背の高いペットボトルを挿入しても、ステアリング４や昇降制御レバー１７の操作に支障が無く、正面を向いた視野の片隅でペットボトルを確認できるので、わき見や減速を行うことなく、欲しいときに水分補給が行える。そして、フェンダー部１３の傾斜に斜め半分が埋もれた形状でペットボトルが保持されるから、運転席１２への搭乗、降車の際にオペレータ１１がつまずいたり、引っ掛かったりしない。
【００４４】
従って、そのような事故でドリンクが撒き散らされて機体が汚れることが少なく、大きな揺れでカップからドリンクが溢れた場合でも、ドリンクは床面へ流れ落ちるだけで、昇降制御レバー１７の機構やスイッチボックス１９の中に侵入することが無い。運転席１２のシート面よりも前方の低い位置にボトルを保持するので、ドリンクがこぼれてもシート面が汚れない。
【００４５】
また、昇降制御レバー１７は、前方へ倒した状態では外側に位置し、手前に引くと運転席側に近づくから、オペレータ１１（図１）は自分の胴体に向かう直線上で昇降制御レバー１７を操作するから、前後へ平行に操作する場合に比較して、小さな女性や年配者でも無理の無い軽い操作感が得られる。特に、体をねじって後方を振り向いた状態でも昇降制御レバー１７に体を近づけることなく、肘掛け姿勢を保ったまま楽に操作できる。言い換えれば、後方の作業状態を確認しながらの昇降制御レバー１７の操作に無理がなくなり、操作ミスや判断ミスを防止できる。
【００４６】
また、耕深設定ダイヤル２３は、アームレスト部１８から一段下げて上方からの干渉を妨げ、さらに、隔壁部１６ｂによって運転席１２側からの干渉を妨げているから、アームレスト高さに配置した場合に比較して、肘に違和感が無く、また、昇降制御レバー１７の操作時やオペレータ１１が着席・離席する際に袖口が誤って接触して、耕深設定ダイヤル２３の設定を変化させる可能性が低くなった。
【００４７】
従って、接触による誤操作の可能性が少ないので耕深設定ダイヤル２３の回転負荷を軽くすることができ、小さな女性や年配者でも楽に回転操作して耕深量を設定可能である。そして、耕深設定ダイヤル２３を掴んだ際に手の甲や手指の背面が壁面１６ｅ、１６ｆで支持されて手先だけで操作できるので、壁面１６ｅ、１６ｆ無しで耕深設定ダイヤル２３を掴んで腕から回す場合に比較して微妙な力加減が可能となり、回し過ぎや往復を避けた確実迅速な設定が可能である。
【図面の簡単な説明】
【００４８】
【図１】本発明の農用トラクタの一実施形態である走行機体の側面図である。
【図２】運転席に着座したオペレータがサイドパネルを操作する状態の説明図である。
【図３】サイドパネルを運転席側から見た斜視図である。
【図４】サイドパネルを上方から見た平面図である。
【図５】サイドパネルを前方から見た正面図である。
【図６】サイドパネルを後方から見た背面図である。
【図７】サイドパネルを外側から見た側面図である。
【図８】サイドパネルを運転席側から見た側面図である。
【符号の説明】
【００４９】
１０  農用トラクタ（走行機体）
１２  運転席
１３  フェンダー部
１５  レバーガイド
１６  サイドパネル
１６ａ  傾斜面
１７  操作手段（昇降制御レバー）
１８  アームレスト部
１９  スイッチボックス
２０  凹部
２３  耕深設定ダイヤル
【図１】
2006335254.tif 000003
【図２】
2006335254.tif 000004
【図３】
2006335254.tif 000005
【図４】
2006335254.tif 000006
【図５】
2006335254.tif 000007
【図６】
2006335254.tif 000008
【図７】
2006335254.tif 000009
【図８】
2006335254.tif 000010